(57)【要約】【課題】作品面の損傷を防止しながら作品の収容、或いは取り外しを簡単に行うことができる額縁を提供することを目的とする。【解決手段】泥足部材２２ａ〜２２ｃは、額縁本体４の裏面側から作品を収容する空間である開口部４の全域が開口するように、各泥足部材の内側を開口部の３辺の周縁に沿った額縁本体４の裏面位置でコ字状に固定されている。額縁２０に作品Ｗを収容する場合には、先ず、裏板２４を額縁本体４に固定しているねじ部材３０を取り外し、把手２８を掴んで裏板２４を泥足部材を配置していない開放側にスライド移動させることで裏板２４を取り外す。そして、額縁本体４の開口部４ａに平行に対面させた作品Ｗを、開口部４ａに向けて移動させることで開口部４ａに嵌め込む。【選択図】        図２
0003101596.tif 000002
【実用新案登録請求の範囲】
【請求項１】
作品が嵌まり込む矩形状の開口部を設けた額縁本体と、この額縁本体の裏面に固定した角材からなる複数本の泥足部材と、これら泥足部材と係合することで前記作品を裏側から支持する裏板とを備えた額縁において、
前記複数本の泥足部材を、前記額縁本体の裏面側から前記開口部の全域が開口するように該泥足部材の内側を前記開口部の３辺の周縁に沿ってコ字状に固定し、前記裏板を前記開口部の開口形状より大きな矩形状の板材とし、この裏板を、前記泥足部材を固定していないコ字状の開放側からスライド移動させ、当該裏板の３辺の縁部を前記開口部の周縁にて各泥足部材と前記額縁本体の裏面との間に設けた隙間に挿入して配置してなることを特徴とする額縁。
【請求項２】
前記作品に対面しない前記裏板の裏面に、把手を設けたことを特徴とする請求項１記載の額縁。
【請求項３】
前記隙間に挿入した前記裏板が前記コ字状の開放側にスライド移動して外れるのを防止する裏板係止部材を備えたことを特徴とする請求項１又は２記載の額縁。
【考案の詳細な説明】
【技術分野】
【０００１】
本考案は、額縁本体の裏面に泥足部材を固定した額縁に関する。
【背景技術】
【０００２】
一般に、油絵、書画、パネルに貼設した写真等の美術作品を室内に飾ったり、展示するときには、額縁に収容されている。
従来の額縁として、例えば、図７から図９に示す構造のものがある。この額縁２は、外観矩形の美術作品（以下、単に作品と称する）Ｗが嵌まり込む矩形状の開口部４ａを設けた木製やアルミニウム合金等の金属製、プラスチック製等の額縁本体４と、額縁本体４の裏面にロ字形状に固定した泥足部材６ａ〜６ｆと、各泥足部材６ａ〜６ｆの開口部側の内側に板周縁が当接して作品Ｗを裏側から支持する裏板８と、裏板８が作品Ｗを支持する際の厚み調整を行う厚み調整板１０と、額縁２を壁に吊り下げる吊りかん１２とを備えている。
【０００３】
泥足部材６ａ〜６ｆは角材であり、額縁本体４の裏面側から見て開口部４ａの全周の縁部が隠れるように、開口部４ａの内側に向けて突出した状態でロ字形状に固定されている。
この額縁２に作品Ｗを収容する場合には、泥足部材６ａ〜６ｆのうち一辺側の泥足部材６ｄと、この泥足部材６ｄに隣接している泥足部材６ｅ，６ｆを固定している木ねじ等の固定部材１４を取り外して泥足部材６ｄ，６ｅ，６ｆを額縁本体４から分解し、裏板８及び厚み調整板１０を取り外す。そして、図９に示すように、作品Ｗを、額縁本体４に固定されている泥足部材６ａ，６ｂ，６ｃの内側に入り込むように、額縁本体４の開口部４ａに対して斜め上方から差し込んで嵌め込む。また、額縁２に収容されている作品Ｗを取り外す場合にも、泥足部材６ｄ，６ｅ，６ｆを額縁本体４から分解し、裏板８及び厚み調整板１０を取り外してから、作品Ｗを開口部４ａに対して斜め上方に抜き取る動作を行う。
【考案の開示】
【考案が解決しようとする課題】
【０００４】
しかし、従来の額縁２は、作品Ｗを収容するとき、或いは取り外す際に、泥足部材６ｄ，６ｅ，６ｆを額縁本体４から分解しなければならず固定部材１４の取り外しに多くの時間が費やされるので、作品Ｗの収容作業、或いは取り外し作業を簡単に行うことができない。
また、額縁本体４の開口部４ａに対して、作品Ｗを斜め上方から差し込み、或いは斜め上方に抜き取らなければならないので、慎重に扱わないと泥足部材６ｄ，６ｅ，６ｆが固定されていた開口部４ａの縁部に作品面Ｗ１が接触して損傷するおそれがある。そこで、作品面Ｗ１の損傷を防止するために、開口部４ａの縁部に保護テープ１６を貼る方法があるが、従来の額縁２は、作品面Ｗ１を保護するための作業にも多くの時間を費やしてしまうという不都合もある。
本考案はこのような不都合を解消するためになされたものであり、作品面の損傷を防止しながら作品の収容、或いは取り外しを簡単に行うことができる額縁を提供することを目的とする。
【課題を解決するための手段】
【０００５】
前記課題を解決するため、本考案に係る請求項１記載の額縁は、作品が嵌まり込む矩形状の開口部を設けた額縁本体と、この額縁本体の裏面に固定した角材からなる複数本の泥足部材と、これら泥足部材と係合することで前記作品を裏側から支持する裏板とを備えた額縁において、前記複数本の泥足部材を、前記額縁本体の裏面側から前記開口部の全域が開口するように該泥足部材の内側を前記開口部の３辺の周縁に沿ってコ字状に固定し、前記裏板を前記開口部の開口形状より大きな矩形状の板材とし、この裏板を、前記泥足部材を固定していないコ字状の開放側からスライド移動させ、当該裏板の３辺の縁部を前記開口部の周縁にて各泥足部材と前記額縁本体の裏面との間に設けた隙間に挿入して配置した額縁である。
【０００６】
この請求項１記載の考案によると、裏板を外した額縁本体は裏面側から開口部の全域が開口しているので、開口部に対して平行に対面させた作品をそのまま開口部に向けて移動して収納することが可能となり、或いは開口部に嵌め込まれている作品をそのまま上方に移動することで取り外すことが可能となり、開口部の縁部に作品の作品面が接触するおそれがない。したがって、開口部の縁部に保護テープを貼るなどの損傷防止の作業が不要となる。
また、泥足部材を額縁本体から分解せずに、裏板を額縁本体に固定している裏板固定部材のみを取り外し、裏板をスライド移動させるだけで作品の収容、或いは取り外しを直ぐに行うことができるので、作品の収容や取り外し作業が容易となる。
【０００７】
また、請求項２記載の考案は、請求項１記載の額縁において、前記作品に対面しない前記裏板の裏面に把手を設けた。この請求項２記載の考案によると、把手を掴んで裏板をスライド移送させることで、裏板の装着を容易に行うことが可能となる。また、裏板が撓んだ状態になっていると、コ字状の開放側から最も遠い位置に固定した泥足部材と額縁本体の裏面との間に設けた隙間に裏板の縁部を挿入しにくいが、把手を掴んで裏板の撓みを矯正するだけで、裏板の縁部を隙間に簡単に挿入することができる。
さらに、請求項３記載の考案は、請求項１又は２記載の額縁において、前記隙間に挿入した前記裏板が前記コ字状の開放側にスライド移動して外れるのを防止する裏板係止部材を備えている。
【０００８】
本考案の額縁を壁に設置する場合には、額縁本体の裏面にコ字状に固定した複数本の泥足部材は、コ字状の開放側が上部、或いは左右方向（略水平方向）を向くように配置されており、複数本の泥足部材のうち下部に位置している部材が裏板を下側から支持している。請求項３の考案では、裏板がコ字状の開放側にスライド移動して外れるのを防止する裏板係止部材を備えているが、この裏板係止部材は、裏板の自重を支えるための、或いは作品を押さえ付けるための大きな固定力が必要なく、裏板のスライド移動を係止するための弱い固定力で十分である。したがって、裏板係止部材を備えたことで裏板が外れるのを確実に防止することができるとともに、弱い固定力の裏板係止部材を備えたことで、裏板の配置や取り外しを容易に行うことが可能となる。
【考案の効果】
【０００９】
本考案に係る額縁によると、裏板を外した額縁本体は裏面側から開口部の全域が開口しているので、開口部に対して平行に対面させた作品をそのまま開口部に向けて移動して収納することが可能となり、或いは開口部に嵌め込まれている作品をそのまま上方に移動することで取り外すことが可能となり、作品面の損傷を防止する作業を不要としながら作品の収容、或いは取り外しを簡単に行うことができる。
【考案を実施するための最良の形態】
【００１０】
以下、本考案に係る額縁の１実施形態ついて、図面を参照しながら説明する。なお、図７から図９で示した構成と同一構成部分には、同一符号を付して説明を省略する。
図１は、本考案に係る１実施形態としての額縁２０を裏面側から示した図であり、図２は、図１のII−II線矢視図を示し、図３は、図１のIII−III線矢視図を示し、図４は、１実施形態としての額縁２０に作品Ｗを収納する動作を示す図である。
【００１１】
本実施形態の額縁２０は、額縁本体４の裏面にコ字形状に固定した泥足部材２２ａ〜２２ｃと、各泥足部材２２ａ〜２２ｃの開口部側の内側と開口部４ａの周縁との間に板周縁が挟み込まれて作品Ｗを裏側から支持している裏板２４と、裏板２４が作品Ｗを支持する際の厚み調整を行う厚み調整板１０とを備えている。
泥足部材２２ａ〜２２ｃは角材であり、図２及び図３に示すように、額縁本体４の裏面側から開口部４ａの全域が見えるように、泥足部材２２ａ〜２２ｃの内側を開口部４ａの３辺の周縁に沿った額縁本体４の裏面位置でコ字状に固定されている。これら泥足部材２２ａ〜２２ｃには、開口部側の内側に切欠き部２６ａ〜２６ｃが、コ字形状に固定した泥足部材の奥方向（泥足部材を配置していない開放側の反対方向）に連続して形成されている。これにより、切欠き部２６ａ〜２６ｃと額縁本体４の裏面との間に隙間２７ａ〜２７ｃが画成される。
【００１２】
裏板２４は、図２及び図３に示すように、開口部４ａの開口形状より大きな矩形状の板材であり、厚み調整板１０に対向しない裏面の一部に、木製の把手２８が裏面から突出して一体に固定されている。
この裏板２４は、隙間２７ａ〜２７ｃに板周縁が入り込むように、額縁本体４の裏面側の泥足部材を配置していない開放側（図１の上部位置）からスライド移動させて配置されている。
そして、泥足部材を配置していない一辺側に位置している裏板２４の縁部を、木ねじ、蝶ねじ、釘等の固定部材３０で額縁本体４に固定することで、裏板２４が額縁本体４に固定されている。なお、固定部材３０が、本考案の裏板係止部材に相当している。
次に、図１及び図４を参照しながら本実施形態の額縁２０に作品Ｗを収容する場合と、額縁２０から作品Ｗを取り出す場合について説明する。
【００１３】
額縁２０に作品Ｗを収容する場合には、先ず、裏板２４を額縁本体４に固定している固定部材３０を取り外し、把手２８を掴んで裏板２４を泥足部材を配置していない開放側にスライド移動させることで裏板２４を取り外す。また、厚み調整板１０も取り外しておく。そして、図４に示すように、額縁本体４の開口部４ａに平行に対面させた作品Ｗを、開口部４ａに向けて移動させることで開口部４ａに嵌め込む。また、額縁２に収容されている作品Ｗを取り外す場合にも、固定部材３０を取り外し、裏板２４を把手２８を掴んで開放側にスライド移動させて取り外し、厚み調整板１０も取り外した後、開口部４ａ内に嵌まり込んでいる作品Ｗを、そのまま上方に移動させるだけで簡単に抜き取ることができる。
【００１４】
したがって、本実施形態の額縁２０は、作品Ｗを収容するとき、或いは取り外す際には、泥足部材２２ａ，２２ｂ，２２ｃを額縁本体４から分解せずに、裏板２４を額縁本体４に固定している固定部材３０のみを取り外し、裏板２４をスライド移動させるだけで作品Ｗの収容、或いは取り外しを直ぐに行うことができるので、作品Ｗの収容や取り外し作業を簡単に行うことができる。
また、裏板２４には把手２８が設けられているので、裏板２４のスライド移動を簡単に行うことができる。ここで、裏板２４が撓んだ状態になっていると、泥足部材２２ａと額縁本体４の裏面との間に設けた隙間２７ｃ（図２参照）に裏板２４の縁部が挿入しにくい場合がある。しかし、前述した把手２８を掴んで裏板２４の撓みを矯正するだけで、裏板２４の縁部を隙間２７ｃに簡単に挿入することができる。
【００１５】
また、裏板２４を外した額縁本体４は裏面側から開口部４ａの全域が開口しているので、作品Ｗを開口部４ａに対して平行に対面させて開口部４ａに向けて移動することで収容が可能となり、或いは開口部４ａから作品Ｗをそのまま上方に移動させて取り外すことが可能となり、開口部４ａの縁部に作品面Ｗ１が接触するおそれがない。したがって、開口部４ａの縁部に保護テープを貼るなどの損傷防止の作業を不要とすることができる。
【００１６】
さらに、本実施形態の額縁２０を壁に設置するときには、図１に示すように、泥足部材２２ａ〜２２ｃをコ字状の開放側が上部を向くように配置し、裏板２４を泥足部材２２ａが下側から支持する。この場合、泥足部材を配置していない一辺側に位置している固定部材３０は、裏板２４の自重を支えるための大きな固定力は必要なく、裏板２４がスライド移動して外れるのを係止して額縁本体４と一体にするための弱い固定力で十分である。したがって、固定部材３０を、弱い固定力で額縁本体４に着脱自在に固定することで、固定部材３０を額縁本体４から取り外す作業、或いは固定部材３０を額縁本体４に固定する作業が容易になるとともに、裏板２４の配置や取り外しも容易に行うことができる。
【００１７】
次に、図５に示すものは、泥足部材２２ａ〜２２ｃのコ字状の開放側が左右方向（略水平方向）を向いて壁に設置される他の実施形態の額縁２０を示した図である。
この額縁２０には、額縁本体４の左右側部に、吊りかん１２，３２が配置されているとともに、これら吊り間１２，３２に、吊り下げ用の紐３４が係合している。
そして、泥足部材を配置していない一辺側に配置した吊りかん３２は、図６に示すように、額縁本体４に設けた凹部４ｂ内に固定されており、紐３４を通す紐係合部３２ａは、凹部４ｂ内に収納されるように可動自在な構造となっている。
【００１８】
本実施形態の額縁２０を壁に設置すると、泥足部材を配置していない一辺側に位置している紐３４が、裏板２４の縁部に接触して裏板２４がスライド移動して外れるのを防止している。したがって、本実施形態の紐３４が、本考案の裏板係止部材に相当している。
このように、本実施形態では、紐３４が裏板２４の縁部に接触して裏板２４のスライド移動を防止しているので、裏板２４の配置や取り外しを容易に行うことができる。
なお、吊りかん３２の紐係合部３２ａは、凹部４ｂ内に収納可能な構造となっているので、裏板２４を配置、或いは取り外しするためにスライド移動する際に何等支障がない。
【００１９】
なお、上記各実施形態において裏板２４に設けた把手２８は、泥足部材２２ａ〜２２ｂより高い部材にすると、額縁２０を壁に沿って取り付けたときに壁に当たってしまう。そのため、把手は、泥足部材２２ａ〜２２ｂより低い部材にすることが好ましい。そして、本実施形態では、木製の把手２８としたが、金属製、プラスチック製の把手２８であっても良い。
また、上記各実施形態の額縁２０では、作品Ｗと裏板２４との間に厚み調整板１０を配置したが、本考案の要旨がこれに限定されるものではなく、開口部４ａに嵌まり込んだ作品Ｗが裏板２４に直接接触するような大きな厚みのものであれば、厚み調整板１０を使用せずに額縁２０を構成しても、同様の作用効果を奏することができる。
【図面の簡単な説明】
【００２０】
【図１】本考案に係る１実施形態の額縁を裏面側から示した図である。
【図２】図１のII−II線矢視を示す図である。
【図３】図１のIII−III線矢視を示す図である。
【図４】本考案に係る１実施形態の額縁に作品を収納する動作を示す図である。
【図５】本考案に係る他の実施形態の額縁を裏面側から示した図である。
【図６】図５の一点鎖線の丸で示した部分を拡大して示した斜視図である。
【図７】従来の額縁を裏面側から示した図である。
【図８】図７のIX−IX線矢視を示す図である。
【図９】従来の額縁に作品を収納する動作を示す図である。
【符号の説明】
【００２１】
４ａ  開口部
４    額縁本体
２２ａ，２２ｂ，２２ｃ  泥足部材
２４  裏板
２６ａ，２６ｂ，２６ｃ  切欠き部
２７ａ，２７ｂ，２７ｃ  隙間
２０  額縁
２８  把手
３０  固定部材（裏板係止部材）
３４  紐（裏板係止部材）
Ｗ    作品
Ｗ１  作品面
【図１】
0003101596.tif 000003
【図２】
0003101596.tif 000004
【図３】
0003101596.tif 000005
【図４】
0003101596.tif 000006
【図５】
0003101596.tif 000007
【図６】
0003101596.tif 000008
【図７】
0003101596.tif 000009
【図８】
0003101596.tif 000010
【図９】
0003101596.tif 000011